(57)【要約】【課題】ガスタービンと蒸気タービンを有する発電設備を複数備えた火力発電プラントにおいて、給電指令装置及び発電所単独の要求電力に対して、運転状況を考慮した送電電力の確保と、迅速な運転スケジュール計算を可能にして、運転スケジュールの精度を向上する。【解決手段】ガスタービンと蒸気タービンを有する発電設備を備えた火力発電プラントの運転支援装置であって、発電設備を発電する時間帯を決める自動発電量設定手段と、発電所単独で運転する発電量と発電する時間帯を決める手動発電量設定手段と、自動発電量設定手段と手動発電量設定手段の両方から設定された発電運転データに対して運転すべきスケジュールを決定するスケジュール計算用情報設定手段とを備え、給電指令装置から要求された負荷パターンに対して自動発電量を設定するモードと手動発電量を設定するモードを要求電力量に見合う発電量に調節するスケジュール計算手段を備えた。【選択図】図１
2016165173.tif 000002
【特許請求の範囲】
【請求項１】
ガスタービンと蒸気タービンを有する発電設備の発電軸を複数備えた火力発電プラントの運転支援装置であって、
給電指令装置から要求された規定時間単位の負荷パターンからなる要求電力量を入力する要求電力量入力手段と、
要求電力量入力手段から入力されたデータに基づいて、前記発電設備を発電する時間帯を決める自動発電量設定手段と、
発電所単独として運転すべき発電量を決めて、前記発電設備を発電する時間帯を決める手動発電量設定手段と、
前記自動発電量設定手段と前記手動発電量設定手段の両方から設定された発電運転データに対して、運転すべきスケジュールを決定するスケジュール計算用情報設定手段とを備え、
前記給電指令装置から要求された規定時間単位の負荷パターンからなる自動発電量を設定するモードと手動発電量を設定するモードの要求電力量に見合う発電量で発電設備を運転するスケジュール計算手段を備えた火力発電プラントの運転支援装置において、
自動発電量設定手段によって自動発電量を設定するモードと、手動発電量設定手段によって手動発電量を設定するモードとの間で発電設備の発電運転時刻の重複が発生する場合、もしくは、発電設備の起動開始時刻と発電設備の停止完了時刻との間で発電運転時刻の重複が発生する場合に、
前記スケジュール計算手段の自動発電量を設定するモードを優先して選択するか、又は、手動発電量を設定するモードを優先して選択する自動発電量／手動発電量の優先選択機能を備え、前記自動発電量／手動発電量の優先選択機能によって自動発電量又は手動発電量のどちらかを優先して選択して、発電設備の発電運転時刻の重複時間をずらすようにするか、又は、発電運転時刻が重複する時間帯での発電設備の発電量を変化させて、前記スケジュール計算手段で計算済みの運転スケジュールに対して再度、運転スケジュールの計算を行なうことを特徴とする火力発電プラントの運転支援装置。
【請求項２】
請求項１に記載した火力発電プラントの運転支援装置において、
給電指令装置の要求電力量指令値から作成する自動発電量を設定するモードの矩形データと、発電所の要求電力量設定値から作成する手動発電量を設定するモードの矩形データを、重複しないように割り付け、
これらの自動発電量を設定するモードおよび手動発電量を設定するモードの各設定操作時に重複が発生した場合に、前記自動発電量／手動発電量の優先選択機能によって、停止側の自動発電量を設定するモードのスケジュールを優先させてユニットを停止させるか、又は起動側の手動発電量を設定するモードのスケジュールを優先させてユニットを起動させる、ことを選択することを特徴とする火力発電プラントの運転支援装置。
【請求項３】
請求項２に記載した火力発電プラントの運転支援装置において、
自動発電量を設定するモードの発電量である矩形データに対して手動発電量を設定するモードの矩形データが重複している場合に、前記自動発電量／手動発電量の優先選択機能によって、自動発電量を設定するモード、又は手動発電量を設定するモードを優先して選択し、
自動発電量を設定するモードを優先して選択した場合に、手動発電量を設定するモードで運転しているスケジュールに対して、自動発電量を設定するモードのスケジュール時刻になると自動発電量を設定するモードのスケジュールが優先されるスケジュールに置き換え、
その後、自動発電量を設定するモードのスケジュールが終了する場合に、手動発電量を設定するモードのスケジュールに置き換わるようにしたことを特徴とする火力発電プラントの運転支援装置。
【請求項４】
請求項２に記載した火力発電プラントの運転支援装置において、
自動発電量を設定するモードの発電量である矩形データに対して手動発電量を設定するモードの矩形データが重複している場合に、前記自動発電量／手動発電量の優先選択機能によって、自動発電量を設定するモード、又は手動発電量を設定するモードを優先して選択し、
手動発電量を設定するモードを優先して選択した場合に、手動発電量を設定するモードで運転しているスケジュールに対して、自動発電量を設定するモードのスケジュール時刻になっても手動発電量を設定するモードのスケジュールを優先して、手動発電量を設定するモードのスケジュールを継続し、
その後、手動発電量を設定するモードのスケジュールが終了した時刻から自動発電量を設定するモードのスケジュールを開始し、
自動発電量を設定するモードのスケジュールで運転を継続している場合に手動発電量を設定するモードのスケジュールへ置き換わるようにしたことを特徴とする火力発電プラントの運転支援装置。
【請求項５】
請求項２に記載した火力発電プラントの運転支援装置において、
時間の流れに対して自動発電量を設定するモードから次回起動が手動発電量を設定するモードになる場合に、起動所要時間に係る蒸気タービンの起動モードを設定させ、
設定した蒸気タービンの起動モードによって起動所要時間を変化させて発電設備の起動開始時刻と、直前に運転している軸が停止する場合の発電設備の停止が完了した時刻との間の停止時間幅を変化させるようにしたことを特徴とする火力発電プラントの運転支援装置。
【請求項６】
請求項５に記載した火力発電プラントの運転支援装置において、
蒸気タービンの起動モードで蒸気タービンメタル温度が上昇した場合に、この蒸気タービンメタル温度が蒸気タービンメタル温度の設定値と許容範囲内であれば、同じ蒸気タービンの起動モードとして処理することが可能となるように、蒸気タービンメタル温度の設定値として、メタル温度が高側の許容値を温度が低側の許容値と同じ温度幅を有する起動モードの温度の高側許容幅を設定し、
蒸気タービンメタル温度の設定値として、メタル温度が低側の許容値を温度が高側の許容値と同じ温度幅を有する起動モードの温度の低側許容幅を設定することを特徴とする火力発電プラントの運転支援装置。
【請求項７】
請求項１乃至請求項６の何れか１項に記載した火力発電プラントの運転支援装置において、
自動発電量設定手段による自動発電量を設定する自動発電量設定１のモードと、自動発電量設定手段による別の自動発電量を設定する自動発電量設定２のモードとの間の停止時間帯に、手動発電量設定手段による手動発電量を設定するモードを備えていることを特徴とする火力発電プラントの運転支援装置。
【請求項８】
請求項１乃至請求項６の何れか１項に記載した火力発電プラントの運転支援装置において、
手動発電量設定手段による手動発電量を設定する手動発電量設定１のモードと、手動発電量設定手段による別の手動発電量を設定する手動発電量設定２のモードとの間の停止時間帯に、自動発電量設定手段による自動発電量を設定するモードを備えていることを特徴とする火力発電プラントの運転支援装置。
【発明の詳細な説明】
【技術分野】
【０００１】
本発明は火力発電プラントの運転支援装置に関し、特に、ガスタービンと蒸気タービンの発電設備を有する発電軸を備えた火力発電プラントにおいて、需要側の要求電力量に対して統括スケジュール計算および統括スケジュール計算から起動される発電軸単位の運転スケジュール計算によって、給電指令装置からの要求電力量と発電所として単独で発電する手動設定発電量とを効率的にスケジュールする火力発電プラントの運転支援装置に関する。
【背景技術】
【０００２】
複数の発電軸を１つの発電設備として発電運転をする火力発電プラントの構成において、複数軸の発電軸があるにも拘らず火力発電プラントの運転員数は数名程度に抑えられる傾向にある。
【０００３】
特定規模電気事業者（以下、ＰＰＳという）に対応した発電設備は、各売電先顧客（以下、需要者という）の要求電力量の調整として、需要者の要求状況により数時間先の決定済みの要求電力が時刻と共に刻々と変更されていくように、要求電力量は変化していくことが多い。
【０００４】
発電設備の発電軸には需要者からの要求電力量を対象とした給電指令装置からの要求電力量が主となる運転であるが、この発電軸を発電所として単独で発電する場合においては、要求電力量が主となる運転と単独で発電する場合における起動停止時間を含めた発電設備の運転時間の重複が発生してしまい、発電所の運転スケジューリングを行うことが容易でないという課題があった。
【０００５】
また、発電所を単独で運転させる場合、蒸気タービンの起動モードを予め設定したモードにより起動させるために、起動モードによって各発電軸の発電設備であるユニット起動時間が変化する。
【０００６】
このユニット起動時間の変化によって給電指令装置からの要求電力量に沿って運転中の影響を与えることになることから、現在運転中の発電軸の運転スケジュールと、現在運転中の発電プラントが運転停止後に再起動する発電軸の運転スケジュールを調整して複数発電軸を最適に運用することは容易ではなかった。
【先行技術文献】
【特許文献】
【０００７】
【特許文献１】特開２０１０−２２６８６５号公報
【発明の概要】
【発明が解決しようとする課題】
【０００８】
ところで、ＰＰＳに対応した発電設備の発電軸の運転は、需要者からの要求電力量を対象とした給電指令装置からの要求電力量が主となる運転であるが、この発電軸を発電所として単独で発電する場合に、要求電力量が主となる運転と単独で発電する場合における起動停止時間を含めた発電設備の運転時間の重複が発生してしまい、発電所の運転スケジューリングを行うことが容易でないという課題があった。
【０００９】
また、発電所を単独で運転させる場合に、蒸気タービンの起動モードを予め設定したモードにより起動させるために、起動モードによって各発電軸の発電設備であるユニット起動時間が変化する。
【００１０】
このユニット起動時間の変化によって給電指令装置からの要求電力量に沿って運転中の影響を与えることになることから、現在運転中の発電軸の運転スケジュールと、現在運転中の発電プラントが運転停止後に再起動する発電軸の運転スケジュールを調整して複数発電軸を最適に運用することは容易ではなかった。
【００１１】
本発明の目的は、ガスタービンと蒸気タービンを有する発電設備の発電軸を複数軸備えた火力発電プラントにおいて、給電指令装置及び発電所単独の要求電力に対して、運転状況を考慮した送電電力の確保と、迅速な運転スケジュール計算を可能にして、運転スケジュールの精度を向上した火力発電プラントの運転支援装置を提供することにある。
【課題を解決するための手段】
【００１２】
本発明の火力発電プラントの運転支援装置は、ガスタービンと蒸気タービンを有する発電設備の発電軸を複数備えた火力発電プラントの運転支援装置であって、給電指令装置から要求された規定時間単位の負荷パターンからなる要求電力量を入力する要求電力量入力手段と、
要求電力量入力手段から入力されたデータに基づいて、前記発電設備を発電する時間帯を決める自動発電量設定手段と、発電所単独として運転すべき発電量を決めて、前記発電設備を発電する時間帯を決める手動発電量設定手段と、前記自動発電量設定手段と前記手動発電量設定手段の両方から設定された発電運転データに対して、運転すべきスケジュールを決定するスケジュール計算用情報設定手段とを備え、前記給電指令装置から要求された規定時間単位の負荷パターンからなる自動発電量を設定するモードと手動発電量を設定するモードの要求電力量に見合う発電量で発電設備を運転するスケジュール計算手段を備えた火力発電プラントの運転支援装置において、自動発電量設定手段によって自動発電量を設定するモードと、手動発電量設定手段によって手動発電量を設定するモードとの間で発電設備の発電運転時刻の重複が発生する場合、もしくは、発電設備の起動開始時刻と発電設備の停止完了時刻との間で発電運転時刻の重複が発生する場合に、前記スケジュール計算手段の自動発電量を設定するモードを優先して選択するか、又は、手動発電量を設定するモードを優先して選択自動発電量／手動発電量の優先選択機能を備え、前記自動発電量／手動発電量の優先選択機能によって自動発電量又は手動発電量のどちらかを優先して選択して、発電設備の発電運転時刻の重複時間をずらすようにするか、又は、発電運転時刻が重複する時間帯での発電設備の発電量を変化させることによって、前記スケジュール計算手段で計算済みの運転スケジュールに対して再度、運転スケジュールの計算を行なうことを特徴とする。
【発明の効果】
【００１３】
本発明によれば、ガスタービンと蒸気タービンを有する発電設備の発電軸を複数軸備えた火力発電プラントにおいて、給電指令装置及び発電所単独の要求電力に対して、運転状況を考慮した送電電力の確保と、迅速な運転スケジュール計算を可能にして、運転スケジュールの精度を向上した火力発電プラントの運転支援装置が実現できる。
【図面の簡単な説明】
【００１４】
【図１】火力発電プラント運転支援装置の実施例の構成を示す全体構成図。
【図２】図１に示した火力発電プラント運転支援装置の実施例が適用される発電設備の全体構成図。
【図３】図１及び図２に示した実施例の火力発電プラント運転支援装置において、給電指令装置の要求電力指令値および発電所内の要求電力設定値（時間の流れに対する自動発電量設定→手動発電量設定の発電パターン）を説明する説明図。
【図４】図１及び図２に示した実施例の火力発電プラント運転支援装置において、給電指令装置の要求電力指令値および発電所内の要求電力設定値（時間の流れに対する手動発電量設定→自動発電量設定の発電パターン）を説明する説明図。
【図５】図１及び図２に示した実施例の火力発電プラント運転支援装置において、時間の流れに対する自動発電量設定→手動発電量設定の発電パターンにおける自動発電量設定優先時のスケジュール計算（自動発電量設定と手動発電量設定に重複時間帯無し）を説明する説明図。
【図６】図１及び図２に示した実施例の火力発電プラント運転支援装置にいて、時間の流れに対する自動発電量設定→手動発電量設定の発電パターンにおける手動発電量設定優先時のスケジュール計算（自動発電量設定と手動発電量設定に重複時間帯無し）を説明する説明図。
【図７】図１及び図２に示した実施例の火力発電プラント運転支援装置において、時間の流れに対する自動発電量設定と手動発電量設定の発電パターンにおける自動発電量設定優先時のスケジュール計算（自動発電量設定と手動発電量設定に重複時間帯有り）を説明する説明図。
【図８】図１及び図２に示した実施例の火力発電プラント運転支援装置において、時間の流れに対する自動発電量設定と手動発電量設定の発電パターンにおける手動発電量設定優先時のスケジュール計算（自動発電量設定と手動発電量設定に重複時間帯有り）説明する説明図。
【図９】図１及び図２に示した実施例の火力発電プラント運転支援装置において、時間の流れに対する自動発電量設定→手動発電量設定の発電パターンにおける起動モードを設定する手動発電量設定優先時のスケジュール計算（自動発電量設定と手動発電量設定に重複時間帯無し）を説明する説明図。
【図１０】図１及び図２に示した実施例の火力発電プラント運転支援装置において、蒸気タービンメタル温度降下に対する蒸気タービン起動モードの判定を説明する説明図。
【図１１】図１及び図２に示した実施例の火力発電プラント運転支援装置において、スケジュール計算実施時の蒸気タービン起動モードと実蒸気タービン起動時から求まる蒸気タービン起動モードを説明する説明図。
【図１２】図１及び図２に示した実施例の火力発電プラント運転支援装置において、蒸気タービン起動モードの相違によるユニット起動時間の相違を説明する説明図。
【図１３】図１及び図２に示した実施例の火力発電プラント運転支援装置において、自動発電量設定と自動発電量設定間に手動発電量設定を入れ込む発電パターンにおけるスケジュール計算を説明する説明図。
【図１４】図１及び図２に示した実施例の火力発電プラント運転支援装置において、手動発電量設定と手動発電量設定間に自動発電量設定を入れ込む発電パターンにおけるスケジュール計算を説明する説明図。
【図１５】図１及び図２に示した実施例の火力発電プラント運転支援装置において、スケジュール計算操作画面（１）を説明する説明図。
【図１６】図１及び図２に示した実施例の火力発電プラント運転支援装置において、スケジュール計算操作画面（２）を説明する説明図。
【図１７】図１及び図２に示した実施例の火力発電プラント運転支援装置において、スケジュール計算フローを説明するスケジュール計算のフロー図。
【発明を実施するための形態】
【００１５】
本発明の実施例である火力発電プラント運転支援装置について図面を参照して以下に説明する。
【実施例１】
【００１６】
本発明の実施例である火力発電プラント運転支援装置について図１〜図１７を参照して説明する。
【００１７】
図１は、本発明の実施例である火力発電プラント運転支援装置が適用される発電設備と火力発電プラント運転支援装置の構成を説明する概略図である。
【００１８】
図１に示したように、本発明の実施例である火力発電プラント運転支援装置は、火力発電プラントの発電を行うにあたり、需要者１００に電力を供給するＰＰＳ（特定規模電気事業者）であるＰＰＳ発電設備１１０と、ＰＰＳ発電設備１１０の個別発電設備の起動停止等のスケジュール計算を司る火力発電プラント運転支援装置１０９から構成されている。
【００１９】
需要者１００が必要とする要求電力量を給電指令装置１０１で作成し、この給電指令装置１０１で作成した要求電力量を、火力発電プラント運転支援装置１０９に備えた要求電力量入力手段１０２で受信する。
【００２０】
この要求電力量入力手段１０２で受信した受信データである要求電力量を元に、火力発電プラント運転支援装置１０９に備えた自動発電量設定手段１０３で矩形データの発電電力パターンを作成する。
【００２１】
次に火力発電プラント運転支援装置１０９に備えた手動発電量設定手段１０４で発電所として単独に運転する発電電力パターンを運転員が手動にて入力する。
【００２２】
上記自動発電量設定手段１０３および手動発電量設定手段１０４で設定された発電電力パターンに対するスケジュールに関して、運転方法、運転内容を入れ込むために、火力発電プラント運転支援装置１０９に備えたスケジュール計算用情報設定手段１０５で入力設定する。
【００２３】
このスケジュール計算用情報設定手段１０５で入力設定した設定内容を元に、火力発電プラント運転支援装置１０９に備えたスケジュール計算手段１０６によって火力発電プラントを運転する運転スケジュールの計算を行う。
【００２４】
スケジュール計算手段１０６で計算した運転スケジュールの計算結果に、後述する図５に示すように、自動発電量設定のスケジュール計算によるユニットの運転の停止と、手動発電量設定のスケジュール計算によるユニットの運転の起動との間で重複する箇所が生じた場合の如く再度見直しが必要となる場合は、スケジュール計算用情報設定手段１０５から運転員の操作によって再設定し、再度、スケジュール計算手段１０６にて運転スケジュールの計算を実施する。
【００２５】
スケジュール計算手段１０６で計算した運転スケジュールの計算結果が、図１１に示すように、例えば蒸気タービンのメタル温度がホットモードで起動又はウォームモードで起動する許容範囲内である場合は、本計算結果の運転スケジュールを最終計算結果として、火力発電プラント運転支援装置１０９に備えたスケジュール計算確定手段１０７により確定する。
【００２６】
前記スケジュール計算手段１０６は、ＰＰＳ発電設備１１０（本実施例の場合は、第１軸発電設備、第２軸発電設備、第３軸発電設備の合計３基の発電設備で構成している）に対して最適な電力を発電してもらうために、前記発電設備ＰＰＳ１１０に備えられた第１軸スケジュール計算手段ＳＣ１、第２軸スケジュール計算手段ＳＣ２、第３軸スケジュール計算手段ＳＣ３のそれぞれに、（スケジュール計算確定手段１０７から）起動目標負荷および起動目標負荷到達時刻を送信する。
【００２７】
前記発電設備１１０では、スケジュール計算確定手段１０７から送信された起動目標負荷および起動目標負荷到達時刻にマッチするように、第１軸スケジュール計算手段ＳＣ１、第２軸スケジュール計算手段ＳＣ２、第３軸スケジュール計算手段ＳＣ３にて各軸の運転スケジュールの計算をそれぞれ行い、これらの各軸の運転スケジュール計算手段で計算した各軸スケジュール計算結果をスケジュール計算手段１０６へ戻すように構成されている。
【００２８】
需要者１００の要求電力量パターンは複雑であることから、要求電力量に対応するために発電運転を行うべき発電運転時間帯が複数回となる場合が発生し、１回目の発電運転時間帯の運転のためには１回目の軸起動、１回目の軸停止を行う必要がある。
【００２９】
次の２回目の発電運転時間帯の運転のためには、２回目の軸起動、２回目の軸停止を行い、複数回の発電運転時間帯がある回数分だけ、軸起動／停止もしくは軸停止／起動をペアとしたスケジュール計算を行う必要がある。
【００３０】
上記給電指令装置１０１から指令される発電パターンとは別に、発電所単独の運転パターンを含めた発電運転パターンの運転スケジュール計算を行うことになる。
【００３１】
発電所単独の運転パターンを含めた発電運転パターンの運転スケジュール計算を行う場合は、その運転スケジュール計算の都度、スケジュール計算手段１０６と軸スケジュール計算手段、例えば、第１軸スケジュール計算手段ＳＣ１、第２軸スケジュール計算手段ＳＣ２、第３軸スケジュール計算手段ＳＣ３でそれぞれ計算を行い、お互いに必要なデータを双方に送受信を行うことになる。
【００３２】
前記スケジュール計算手段１０６では、第１軸スケジュール計算手段ＳＣ１、第２軸スケジュール計算手段ＳＣ２、第３軸スケジュール計算手段ＳＣ３のそれぞれに起動目標負荷および起動目標負荷到達時刻を送信し、それぞれの個別軸スケジュール計算手段ＳＣ１、ＳＣ２、ＳＣ３で軸スケジュールの運転スケジュールを計算する。
【００３３】
軸スケジュールの計算結果は、第１軸スケジュール計算手段ＳＣ１、第２軸スケジュール計算手段ＳＣ２、第３軸スケジュール計算手段ＳＣ３から第１軸制御装置ＣＴ１、第２軸制御装置ＣＴ２、第３軸制御装置ＣＴ３へそれぞれ送信され、第１軸制御装置ＣＴ１は第１軸スケジュール計算手段ＳＣ１による第１軸スケジュール計算結果に基づいた運転スケジュールに沿って第１軸発電軸ＰＷ１の運転を実施する。
【００３４】
第２軸および第３軸についても同様に、第２軸制御装置ＣＴ２は第２軸スケジュール計算手段ＳＣ２による第２軸スケジュール計算結果に基づいた運転スケジュールに沿って第２軸発電軸ＰＷ２の運転を実施し、第３軸制御装置ＣＴ３は第３軸スケジュール計算手段ＳＣ３による第３軸スケジュール計算結果に基づいた運転スケジュールに沿って第３軸発電軸ＰＷ３の運転を実施する。
【００３５】
そして、各軸の発電設備である第１軸発電設備ＰＷ１、第２軸発電設備ＰＷ２、第３軸発電設備ＰＷ３で発電された発電電力は需要者１００へ供給される。
【００３６】
図２は本実施例である火力発電プラント運転支援装置１０９が適用される発電設備の全体構成図を説明する概略図である。
【００３７】
図２に示した前記発電設備の全体構成図において、発電設備ＰＷは、ガスタービンＧＴ１１と蒸気タービンＳＴ２１により発電機Ｇ２３を起動する発電設備ＰＷ１、ＰＷ２，ＰＷ３として構成される。
【００３８】
図２に示した例では、発電設備ＰＷは第１軸発電設備ＰＷ１から第２軸発電設備ＰＷ２、及び第３軸発電設備ＰＷ３までの３組の発電設備で構成されている。
【００３９】
前記各発電設備ＰＷは、ガスタービン設備として空気流量調節弁ＶＡにより調節して取り込んだ空気Ａを圧縮する空気圧縮機ＣＯＭＰ１２と、前記空気圧縮機ＣＯＭＰ１２と燃料流量調節弁ＶＦにより調節して取り込んだ燃料Ｆを用いて燃焼を行なう燃焼器ＣＯＭＢ１３と、燃焼器ＣＯＭＢ１３で発生した高圧燃焼ガスで駆動されるガスタービンＧＴ１１を備える。
【００４０】
ガスタービンＧＴ１１で仕事をした後の燃焼排ガスは高温高圧であることから、この保有エネルギーを回収するために蒸気タービン設備を備える。
【００４１】
蒸気タービン設備は、ガスタービン燃焼排ガスで給水Ｗを加熱して蒸気を得る排熱回収ボイラＢ３１と、排熱回収ボイラＢ３１で発生した蒸気で駆動される蒸気タービンＳＴ２１と、蒸気タービンＳＴ２１から排出された蒸気を復水して再度水に戻して再利用するための復水器ＣＯＮＤ２２を備える。
【００４２】
発電機Ｇ２３はガスタービンＧＴ１１と蒸気タービンＳＴ２１により駆動されて発電を行なう。
【００４３】
以上のように構成された発電設備ＰＷは、発電設備ごとに設けられた軸制御装置ＣＴ、例えば、第１軸制御装置ＣＴ１、第２軸制御装置ＣＴ２、第３軸制御装置ＣＴ３により駆動される。
【００４４】
前記各軸制御装置ＣＴ１、ＣＴ２、ＣＴ３は、各軸スケジュール計算手段ＳＣ１、ＳＣ２、ＳＣ３からの制御指令を受けて当該軸の発電設備ＰＷ１、ＰＷ２、ＰＷ３をそれぞれ制御する。
【００４５】
そして、第１軸発電設備ＰＷ１は、第１軸スケジュール計算手段ＳＣ１の制御指令により第１軸制御装置ＣＴ１を経由してこの第１軸発電設備ＰＷ１を制御するが、図２に示すように、第１軸制御装置ＣＴ１の具体的な操作端は、燃焼器ＣＯＭＢ１３に与える燃料Ｆの供給量を制御する燃料流量調節弁ＶＦ、排熱回収ボイラＢ３１に与える給水Ｗの供給量を制御する給水流量調節弁ＶＷ、空気圧縮機ＣＯＭＰ１２に与える空気量を制御する空気流量調節弁ＶＡなどである。
【００４６】
同様に、第２軸発電設備ＰＷ２については第２軸スケジュール計算手段ＳＣ２の制御指令により第２軸制御装置ＣＴ２を経由して第２軸発電設備ＰＷ２を制御し、第３軸発電設備ＰＷ３についても第３軸スケジュール計算手段ＳＣ３の制御指令により第３軸制御装置ＣＴ３を経由して第３軸発電設備ＰＷ３を制御する。
【００４７】
図３は本実施例である火力発電プラント運転支援装置１０９において、給電指令装置１０１の要求電力指令値および発電所内の要求電力設定値（時間の流れに対する自動発電量設定→手動発電量設定の発電パターン）を説明する説明図である。
【００４８】
図３の上段に示したように、本実施例の火力発電プラント運転支援装置１０９では、給電指令装置の要求電力量指令値（自動発電量設定）３００を、自動発電量設定欄にスケジュール計算用の自動発電量設定データとして、目標出力、目標出力到達時刻、出力降下開始出力、出力降下開始時刻を取り込み、矩形データとして表わす。
【００４９】
一方、図３の中段に示したように、発電所の要求電力量設定値（手動発電量設定）３０１を、手動発電量設定欄にスケジュール計算用の手動発電量設定データとして、時刻に対する発電電力値を矩形データとして設定する。
【００５０】
設定された発電電力値パターンは、時間の流れに対して自動発電量設定モード、手動発電量設定モードの順となる。
【００５１】
図３の下段に示したように、軸スケジュール計算結果（自動発電量設定／手動発電量設定）３０２を、スケジュール計算の時間流れの上流に相当する自動発電量設定モードの起動過程の起動スケジュール計算として、目標出力到達後から出力降下開始までの通常運転範囲を通常運転スケジュール計算として、出力降下開始から停止までの停止過程を停止スケジュール計算として、それぞれ実施する。
【００５２】
次に、図３の下段に示したように、軸スケジュール計算結果（自動発電量設定／手動発電量設定）３０２を、スケジュール計算の時間流れの下流に相当する手動発電量設定モードの起動過程の目標出力到達後から出力降下開始までの通常運転範囲、及び出力降下開始から停止までの停止過程を、自動発電量設定モードと同様にスケジュール計算で実施する。
【００５３】
図４は本実施例である火力発電プラント運転支援装置１０９において、給電指令装置１０１の要求電力指令値および発電所内の要求電力設定値（時間の流れに対する手動発電量設定→自動発電量設定の発電パターン）を説明する説明図である。
【００５４】
図４は図３と同様の考えであり、図４の上段に示したように、火力発電プラント運転支援装置１０９では、給電指令装置の要求電力量設定値（自動発電量設定）４００を、自動発電量設定欄にスケジュール計算用のデータとして、目標出力、目標出力到達時刻、出力降下開始出力、出力降下開始時刻を取り込み、矩形データとして表わす。
【００５５】
一方、図４の中段に示したように、発電所の要求電力量指令値（自動発電量設定）４０１を、手動発電量設定欄にスケジュール計算用のデータとして目標出力、目標出力到達時刻、出力降下開始出力、出力降下開始時刻を取り込み自動発電量設定データとして表わす。
【００５６】
設定された発電電力値パターンは時間の流れに対して手動発電量設定モード、自動発電量設定モードの順となる。
【００５７】
図４の下段に示したように、軸スケジュール計算結果（手動発電量設定／自動発電量設定）４０２におけるスケジュール計算の時間流れの上流に相当する手動発電量設定モードの起動過程を、手動発電量設定モードの起動過程、目標出力到達後から出力降下開始までの通常運転範囲、出力降下開始からの停止過程をスケジュール計算で実施する。
【００５８】
次に図４の下段に示したように、軸スケジュール計算結果（手動発電量設定／自動発電量設定）４０２におけるスケジュール計算の時間流れの下流に相当する自動発電量設定モードの起動過程を起動スケジュール計算として、目標出力到達後から出力降下開始までの通常運転範囲を通常運転スケジュール計算として、出力降下開始からの停止過程を手動発電量設定モードと同様にスケジュール計算で実施する。
【００５９】
図５は本実施例である火力発電プラント運転支援装置１０９において、時間の流れに対する自動発電量設定→手動発電量設定の発電パターンにおける自動発電量設定優先時のスケジュール計算（自動発電量設定と手動発電量設定に重複時間帯無し）を説明する説明図である。
【００６０】
図５に示した発電電力値パターンは、図３と同様の発電電力値パターンであり、図５の上段に、給電指令装置の要求電力量（自動発電量設定→手動発電量設定）５００として示したように、本実施例の火力発電プラント運転支援装置１０９では、時間流れの上流側に自動発電量設定モード、下流側に手動発電電力量設定モードとして示しており、スケジュール計算用情報設定手段１０５において、後述する図１５に示す自動発電量／手動発電量の優先選択機能の画面において、自動発電量設定優先１５００又は手動発電量設定優先１５０１を選択する自動発電量／手動発電量の優先選択機能のうち、自動発電量設定優先１５００を選択した場合について記載している。
【００６１】
図５の上側の中段に、停止側自動発電量設定に対する軸スケジュール計算結果５０１として示したように、自動発電量設定モードの停止過程は出力降下開始からスケジュール計算を実施してユニット停止完了時刻を算出する。
【００６２】
また、図５の下側の中段に、起動側手動発電量設定に対する軸スケジュール計算結果５０２として示したように、手動発電量設定モードの起動過程は自動発電量設定モードの停止による蒸気タービンメタル温度の降下予想値から算出した起動モードを元に、目標出力が目標出力到達時刻になるように時間の上流側へ逆算するスケジュール計算を行い、ユニット起動開始時刻を算出する。
【００６３】
図５の下段に、停止側自動発電量設定を優先選択とした場合のスケジュール計算結果５０３として示したように、ユニット停止完了時刻とユニット起動開始時刻が逆転するような重複時間帯が発生した場合、上記で選択した自動発電量設定モードが優先されることから、時間帯重複が発生しないように手動発電量選択モード側を時刻下流側へ移動するように再スケジュール計算を行い、その結果を得る。
【００６４】
なお、重複により重複時間帯解消として起動スケジュール計算をずらす内容は、特開２０１０−２２６８６５公報で既知の内容である。
【００６５】
図６は本実施例である火力発電プラント運転支援装置１０９において、時間の流れに対する自動発電量設定→手動発電量設定の発電パターンにおける手動発電量設定優先時のスケジュール計算（自動発電量設定と手動発電量設定に重複時間帯無し）を説明する説明図である。
【００６６】
図６に示した発電電力値パターンは、図５と同様の発電電力値パターンであり、時間流れの上流側に自動発電量設定モード、下流側に手動発電量設定モードとなっている場合を示しており、スケジュール計算用情報設定手段１０５において、後述する図１５に示す自動発電量／手動発電量の優先選択機能の画面において、自動発電量設定優先１５００又は手動発電量設定優先１５０１を選択する自動発電量／手動発電量の優先選択機能のうち、自動発電量設定優先１５００を選択した場合について記載している。
【００６７】
図６の上段に、給電指令装置の要求電力量（自動発電量設定→手動発電量設定）６００として示したように、本実施例の火力発電プラント運転支援装置１０９では、時間流れの上流側に自動発電量設定モード、下流側に手動発電電力量設定モードとして示しており、スケジュール計算用情報設定手段１０５において、後述する図１５に示す自動発電量／手動発電量の優先選択画面の手動発電量設定優先ＰＢ１５０１を選択した場合について記載している。
【００６８】
図６の上側の中段に、停止側自動発電量設定に対する軸スケジュール計算結果６０１として示したように、自動発電量設定モードの停止過程は出力降下開始からスケジュール計算を実施し、ユニット停止完了時刻を自動発電量設定に対する軸スケジュール計算から算出する。
【００６９】
また、図６の下側の中段に、起動側手動発電量設定に対する軸スケジュール計算結果６０２として示したように、手動発電量設定モードの起動過程は、自動発電量設定モードの停止による蒸気タービンメタル温度の降下予想値から算出した起動モードを元に、目標出力が目標出力到達時刻になるように時間の上流側へ逆算するスケジュール計算を行い、ユニット起動開始時刻を手動発電量設定に対する軸スケジュール計算から算出する。
【００７０】
図６の下段に、停止側手動発電量設定を優先選択とした場合のスケジュール計算結果６０３として、ユニット停止完了時刻とユニット起動開始時刻が逆転するような重複時間帯が発生した場合、上記で選択した手動発電量設定モードが優先されることから、時間帯重複が発生しないように自動発電量選択モード側を時刻上流側へ移動するように再スケジュール計算を行い、停止側手動発電量設定を優先選択とした場合のスケジュール計算から算出する。
【００７１】
図７は本実施例である火力発電プラント運転支援装置１０９において、時間の流れに対する自動発電量設定と手動発電量設定の発電パターンにおける自動発電量設定優先時のスケジュール計算（自動発電量設定と手動発電量設定に重複時間帯有り）を説明する説明図である。
【００７２】
図７に示した発電電力パターンは、図７の上段に、給電指令装置の要求電力量指令値（自動発電量設定）７００、図７の中段に、発電所の要求電力設定値（手動発電量設定）７０１、図７の下段に、軸スケジュール計算（自動発電量設定／手動発電量設定）７０２、としてそれぞれ示した発電電力パターンとなる。
【００７３】
そして図７に示した発電電力パターンの矩形データが、給電指令装置の要求電力量指令値（自動発電量設定）７００を設定する自動発電量選定モードと、発電所の要求電力設定値（手動発電量設定）７０１を設定する手動発電量設定モードにおいて、両者間の発電電力パターンに重複する時間帯がある場合に、自動発電量設定モード優先によって自動発電量設定モードが優先されるため、手動発電量設定モードで設定した発電電力パターンは自動発電量選定モードに置き換わったスケジュール計算結果となる。
【００７４】
また、図７の下段には、軸スケジュール計算（自動発電量選定／手動発電量選定）７０２における手動発電量設定のスケジュール計算と自動発電量設定のスケジュール計算との発電電力パターンを表示しています。
【００７５】
図８は本実施例である火力発電プラント運転支援装置１０９において、時間の流れに対する自動発電量設定と手動発電量設定の発電パターンにおける手動発電量設定優先時のスケジュール計算（自動発電量設定と手動発電量設定に重複時間帯有り）を説明する説明図である。
【００７６】
図８に示した発電電力パターンは、図７と同様の発電電力パターンの矩形データである。図８に示した発電電力パターンは、図８の上段に、給電指令装置の要求電力量指令値（自動発電量設定）８００を設定する自動発電量選定モードと、図８の中段に、発電所の要求電力設定値（手動発電量設定）８０１を設定する手動発電量設定モードとしてそれぞれ示した発電電力パターンとなる。
【００７７】
そして図８に示した発電電力パターンの矩形データが、給電指令装置の要求電力量指令値（自動発電量設定）８００を設定する自動発電量選定モードと、発電所の要求電力設定値（手動発電量設定）８０１を設定する手動発電量設定モードにおいて、両者間の発電電力パターンに重複する時間帯がある場合、手動発電量設定モード優先によって手動発電量設定モード８０１が優先されるため、自動発電量設定モード８００で設定した発電電力パターンは手動発電量選定モード８０１に置き換わったスケジュール計算結果となる。
【００７８】
また、図８の下段には、軸スケジュール計算（自動発電量選定／手動発電量選定）８０２における手動発電量設定のスケジュール計算と自動発電量設定のスケジュール計算との発電電力パターンを表示しています。
【００７９】
図９は本実施例である火力発電プラント運転支援装置１０９において、時間の流れに対する自動発電量設定→手動発電量設定の発電パターンにおける起動モードを設定する手動発電量設定優先時のスケジュール計算（自動発電量設定と手動発電量設定に重複時間帯無し）を説明する説明図である。
【００８０】
図９に示した発電電力パターンは、図５と同様の発電電力パターンである。ユニット起動時は、停止側による蒸気タービンメタル温度降下の程度によりユニット起動モードが変わってしまうため、ＰＰＳ発電所として要求される目標出力を目標到達時刻に高精度で合わせることが困難となる場合がある。
【００８１】
この時刻のずれを防止する目的として起動側の起動モードを運転員が設定することにより、タイムリーに効率良く発電運転することが可能となる。設定した起動モードにより起動所要時間が変化するため停止完了時刻から起動開始時刻間の停止時間幅が変化することになる。
【００８２】
図９の上段に、給電指令装置の要求電力量（自動発電量設定→手動発電量設定）９００として示したように、本実施例の火力発電プラント運転支援装置１０９では、時間流れの上流側に自動発電量設定モード、下流側に手動発電電力量設定モードとして示しており、スケジュール計算用情報設定手段１０５において、後述する図１５に示す起動時の蒸気タービン起動モード設定で、運転員の設定による起動モード１５０３を選択した場合について記載している。
【００８３】
図９の上側の中段に、発電所の要求電力量のスケジュール計算においてＳＴ起動モードとしてベリーホットモードを手動設定した場合のスケジュール計算結果９０１として示したように、自動発電量設定モードの停止過程は出力降下開始からスケジュール計算を実施してユニット停止完了時刻を算出する。
【００８４】
また、図９の下側の中段に、発電所の要求電力量のスケジュール計算においてＳＴ起動モードとしてホットモードを手動設定した場合のスケジュール計算結果９０２として示したように、手動発電量設定モードの起動過程は自動発電量設定モードの停止による蒸気タービンメタル温度の降下予想値から算出した起動モードを元に、目標出力が目標出力到達時刻になるように時間の上流側へ逆算するスケジュール計算を行い、ユニット起動開始時刻を算出する。
【００８５】
図９の下段に、発電所の要求電力量のスケジュール計算においてＳＴ起動モードとしてウォームモードを手動設定した場合のスケジュール計算結果９０３として示したように、ユニット停止完了時刻とユニット起動開始時刻が逆転するような重複時間帯が発生した場合、上記で選択した手動発電量設定モードが優先されることから、時間帯重複が発生しないように自動発電量選択モード側を時刻上流側へ移動するように再スケジュール計算を行い、停止側手動発電量設定を優先選択とした場合のスケジュール計算から算出する。
【００８６】
図９に示したスケジュール計算の説明図から理解できるように、発電所の要求電力量のスケジュール計算においてＳＴ起動モードとしてベリーホットモードを手動設定した場合のスケジュール計算結果９０１、発電所の要求電力量のスケジュール計算においてＳＴ起動モードとしてホットモードを手動設定した場合のスケジュール計算結果９０２、発電所の要求電力量のスケジュール計算においてＳＴ起動モードとしてウォームモードを手動設定した場合のスケジュール計算結果９０３の順に起動所要時間が長くなり、結果として停止時間幅が短くなっていく。
【００８７】
図１０は本実施例である火力発電プラント運転支援装置１０９において、蒸気タービンメタル温度降下に対する蒸気タービン起動モードの判定を説明する説明図である。
【００８８】
図１０に示した蒸気タービンメタル温度降下に対する蒸気タービン起動モードの判定図において、１０００は蒸気タービンメタル温度降下に対する蒸気タービン起動モードの判定の状況を示している。また、図１０に記載した実線は蒸気タービンメタル温度の時間経過を示している。
【００８９】
ユニット停止の過程で蒸気タービンが停止すると蒸気タービンメタル温度は、図１０に実線で示した蒸気タービンメタル温度降下曲線に沿って蒸気タービンのメタル温度が降下する。
【００９０】
蒸気タービンの機械側特性に則した降下後メタル温度の規定範囲内から蒸気タービン起動モードを決めているのは既成事実である。
【００９１】
図１０において、蒸気タービンメタル温度がＸ２℃以上でＸ１℃未満の範囲では、メタル温度から判定される蒸気タービン起動モードはベリーホットモードであり、蒸気タービンメタル温度がＸ３℃以上でＸ２℃未満の範囲では、メタル温度から判定される蒸気タービン起動モードはホットモードであり、蒸気タービンメタル温度がＸ４℃以上でＸ３℃未満の範囲では、メタル温度から判定される蒸気タービン起動モードはウォームモードであり、蒸気タービンメタル温度がＸ５℃以上でＸ４℃未満の範囲では、メタル温度から判定される蒸気タービン起動モードはコールドモードである。尚、前記蒸気タービンメタル温度は、Ｘ１℃＞Ｘ２℃＞Ｘ３℃＞Ｘ４℃＞Ｘ５℃である。
【００９２】
図１１は本実施例である火力発電プラント運転支援装置１０９において、スケジュール計算実施時の蒸気タービン起動モードと実蒸気タービン起動時から求まる蒸気タービン起動モードの相違を説明する説明図である。
【００９３】
図１１に示したスケジュール計算実施時の蒸気タービン起動モードと実蒸気タービン起動時から求まる蒸気タービン起動モードの相違図において、１１００はスケジュール計算実施時の蒸気タービン起動モードと実蒸気タービン起動時から求まる蒸気タービン起動モードの相違の状況を示している。
【００９４】
図１１において、実線は蒸気タービンメタル温度の時間経過を示している。また、時間軸のＡ点がスケジュール計算を実施した時点を示し、Ｂ点が蒸気タービンの実起動した時点を示している。
【００９５】
また、蒸気タービンメタル温度がＸ３℃以上でＸ２℃未満の範囲では、メタル温度から判定される蒸気タービン起動モードはホットモードであり、蒸気タービンメタル温度がＸ４℃以上でＸ３℃未満の範囲では、メタル温度から判定される蒸気タービン起動モードはウォームモードである。
【００９６】
図１１において、破線で示したＹ１℃は蒸気タービン起動モードがホットモードとなる温度領域に存在しており、破線で示したＹ２℃は蒸気タービン起動モードがウォームモードとなる温度領域に存在している。
【００９７】
そして、図１１において、Ｙ１℃−Ｘ３℃の温度差は、蒸気タービン起動モード温度低側のモードへ変更する許容幅を示し、Ｘ３℃−Ｙ２℃の温度差は、蒸気タービン起動モード温度高側のモードへ変更する許容幅を示している。
【００９８】
また、図１１において、スケジュール計算から求まる蒸気タービン起動モードがホットモードの場合でも、起動過程における所要時間の変化、もしくは蒸気タービンの状況により蒸気タービンメタル温度降下度合が変化することがある。
【００９９】
この変化により最初のスケジュール計算実施時点の起動モードと実際に蒸気タービンが起動する時に再計算される起動モードには相違が発生することがある。これは蒸気タービン起動モードを判別するメタル温度がモード判別温度境界線を別モード側へ変わってしまうことが原因する。
【０１００】
この結果、起動モードが当初のスケジュール計算結果から変化してしまい、当初予定していた目標出力到達時刻が変化してしまうことになる。
【０１０１】
この対策として、図１１に示した本実施例では、前記したＹ１℃−Ｘ３℃の温度差及びＸ３℃−Ｙ２℃の温度差のように、蒸気タービンの機械特性を考慮した許容温度内で起動モードの変化を変化させない許容温度差をそれぞれ設定することにより、運転員が予定する起動モードでの運転が可能となり目標到達時刻を守ることが可能となる。
【０１０２】
これらの許容温度差の設定は、図１５に示した起動時の蒸気タービン起動モード許容温度設定において、起動モードの低側許容幅設定値１５０４および起動モードの高側許容幅設定値１５０５としてそれぞれ設定する。
【０１０３】
また、スケジュール計算実施設定は、図１５に示したスケジュール計算実施設定において、スケジュール計算実施実行ＰＢのスケジュール計算実行１５０６、及びスケジュール計算結果確定ＰＢのスケジュール計算結果確定１５０７をそれぞれ押して実行する。
【０１０４】
図１２は本実施例である火力発電プラント運転支援装置１０９において、蒸気タービン起動モードの相違によるユニット起動時間の相違を説明する説明図である。
【０１０５】
図１２に示した蒸気タービン起動モードの相違によるユニット起動時間の相違図において、１２００は蒸気タービン起動モードＲ１、Ｒ２、Ｒ３、Ｒ４、Ｒ５、蒸気タービン起動モードＴ１、Ｔ２、Ｔ３、Ｔ４及び蒸気タービン起動モードＰ１、Ｐ２、Ｐ３、Ｐ４の各起動モードによるユニット起動時間の相違を示すものであり、図１２に記載した各表に起動モードの出力変化率１２０１、起動モードの出力保持時間１２０２、起動モードの出力値１２０３としてそれぞれ示したように、蒸気タービン起動モードの違いによって既知内容の起動モードにおける出力変化率１２０１、起動モードにおける出力保持時間１２０２、起動モードにおける出力値１２０３がそれぞれ決まっており、前記各表に記載した本数値を元に蒸気タービンが起動することから起動所要時間が変化することになる。
【０１０６】
図１３は本実施例である火力発電プラント運転支援装置１０９において、自動発電量設定１と、その後の自動発電量設定２との間に手動発電量設定を入れ込む発電パターンにおけるスケジュール計算を説明する説明図である。
【０１０７】
図１３に示した自動発電量設定１と自動発電量設定２との間に手動発電量設定を入れ込む発電パターンにおけるスケジュール計算図において、時間流れの上流側に自動発電量設定１のモード、下流側に自動発電電力量設定２のモードとして示しており、自動発電量設定１のモードと自動発電量設定２のモードとの間の停止時間帯に発電所単独運転用の手動発電量設定モードとして手動発電量の運転パターンを最大時間幅として設定する場合に、手動設定する手動発電量設定の起動所要時間および停止所要時間分を計算し、この時間分を停止時間幅から差し引いた時間分が通常運転時間帯として設定することを可能としたものである。
【０１０８】
図１３の上段に、給電指令装置の要求電力量（自動発電量設定）１３００として示したように、本実施例の火力発電プラント運転支援装置１０９では、時間流れの上流側に自動発電量設定１のモード、下流側に自動発電量設定２のモードとして示している。
【０１０９】
図１３の上側の中段には、給電指令装置の要求電力量に対するスケジュール計算結果１３０１として示し、図１３の下側の中段には、停止時間幅に対し手動発電量を最大使用する様にする為のスケジュール計算結果１３０２を示す。
【０１１０】
図１３の下段に、停止時間幅を最大使用する時のスケジュール計算結果に対する手動発電量設定可能幅１３０３を示す。
【０１１１】
なお、図１３のスケジュール計算において、自動発電量設定２モードの起動モードを図１５の運転員の設定による起動モード設定１５０３として設定しない場合は、停止時間幅分だけ設定することが可能となる。
【０１１２】
しかしながら、自動発電量設定２モードの起動モードを設定した場合は、手動発電量設定を入れ込むことにより自動発電量設定２モードの起動モードが変化しないかをチェックし、起動モードを変化させない時間帯で手動発電量設定を行うものである。
【０１１３】
図１４は本実施例である火力発電プラント運転支援装置１０９において、手動発電量設定１と、その後の手動発電量設定２との間に自動発電量設定を入れ込む発電パターンにおけるスケジュール計算を説明する説明図である。
【０１１４】
図１４に示したスケジュール計算図は図１３のスケジュール計算図と考え方は同様であるが、図１４に示した本実施例では、時間流れの上流側に手動発電量設定１のモード、下流側に手動発電電力量設定２のモードとして示しており、手動発電量設定１のモードと手動発電量設定２のモードとの間の停止時間帯に給電指令装置の自動発電量設定モードとして自動発電量の運転パターンを最大時間幅として設定する場合に、自動設定する自動発電量設定の起動所要時間および停止所要時間分を計算し、この時間分を停止時間幅から差し引いた時間分が通常運転時間帯として設定することを可能としたものである。
【０１１５】
図１４の上段に、発電所の要求電力量指令値（手動発電量設定）１４００として示したように、本実施例の火力発電プラント運転支援装置１０９では、時間流れの上流側に手動発電量設定１のモード、下流側に手動発電量設定２のモードとして示している。
【０１１６】
図１４の上側の中段には、発電所の要求電力量に対するスケジュール計算結果１４０１として示し、図１４の下側の中段には、停止時間幅に対し自動発電量を最大使用する様にする為のスケジュール計算結果１４０２を示す。
【０１１７】
図１４の下段に、停止時間幅を最大使用する時のスケジュール計算結果に対する自動発電量設定可能幅１４０３を示す。
【０１１８】
図１５は本実施例である火力発電プラント運転支援装置１０９において、スケジュール計算操作画面（１）を説明する説明図である。
【０１１９】
給電指令装置の発電運転パターンである自動発電量設定モードと発電所単独で運転する場合の手動発電量設定モードの優先選択を行うものである。
【０１２０】
自動発電量設定を優先的にするスケジュール計算を行う場合は、図１５に示したように、自動発電量設定優先ＰＢ１５００を選択押下し、手動発電量設定を優先的にするスケジュール計算を行う場合は、手動発電量設定優先ＰＢ１５０１を選択押下する。
【０１２１】
スケジュール計算実施時に現在の蒸気タービン起動モードは、スケジュール計算結果による起動モード設定１５０２として表示され、この起動モードとは別にユニットを予定通りに起動させたい場合に、運転員が運転員の設定による起動モード設定１５０３のＰＢを押下することにより、選択した起動モードでスケジュール計算を行うことになる。
【０１２２】
起動モードＰＢを押下しなかった場合、および選択した起動モードが蒸気タービンの機械側制約からの蒸気タービン起動モードと相違する場合に、相違する蒸気タービンメタル温度の降下程度を許容する温度設定幅を起動モードの低側許容幅を設定する起動モードの低側許容幅設定値１５０４、起動モードの高側許容幅を設定する起動モードの高側許容幅設定値１５０５で設定する。
【０１２３】
設定したスケジュール計算用情報設定項目に従って、スケジュール計算の実行をスケジュール計算実行１５０６で行い、スケジュール計算結果がＯＫであればスケジュール計算結果を確定するスケジュール計算確定１５０７で確定して、計算済みのスケジュール計算結果を計算機内部へ取り込み、以降は本スケジュール計算に沿いユニットが起動していく。
【０１２４】
図１６は本実施例である火力発電プラント運転支援装置において、スケジュール計算操作画面（２）を説明する説明図である。
【０１２５】
図１６に示したように、自動もしくは手動の発電量設定モードで設定された発電運転パターンにおいて、２つの発電運転パターンの間には、停止完了時刻と起動開始時刻から求まる停止時間がある。
【０１２６】
この停止時間は出力設定可能時間であり、これを運転員が手動発電量設定モードで設定するために必要な出力設定可能時間として、図１６に示すスケジュール操作用画面に表示する。
【０１２７】
図１７は本実施例である火力発電プラント運転支援装置１０９において、スケジュール計算フローを説明するスケジュール計算のフロー図である。
【０１２８】
図１７のスケジュール計算のフロー図に示したように、本実施例の火力発電プラント運転支援装置１０９におけるスケジュール計算では、要求電力量入力のステップ１０２で取り込んだ発電パターンは、自動発電力設定のステップ１０３で矩形データとして作成される。
【０１２９】
これとは別に、発電所単独運転モード用の要求電力量は、手動発電量設定のステップ１０４で矩形データとして作成される。
【０１３０】
自動発電力設定のステップ１０３および手動発電量ステップ１０４で設定された発電パターンに対し、自動発電量設定又は手動発電量設定のどちらを優先するかを、自動発電量設定優先ＰＢをＯＮのステップ１５００又は手動発電量設定優先ＰＢをＯＮのステップ１５０１で選択し、スケジュール計算開始のステップ１５０４に進む。
【０１３１】
上記ステップ１５００又はステップ１５０１で設定された優先機能に基づいて、自動発電量設定優先と手動発電量設定優先判断のステップ１７００に進んで優先機能の判断を行う。
【０１３２】
尚、自動発電量設定優先ＰＢ１５００、手動発電量設定優先ＰＢ１５０１、スケジュール計算実行ＰＢ１５０６の各内容は図１５を引用して説明した通りである。
【０１３３】
図１７のスケジュール計算のフロー図に示したように、優先機能を自動発電量設定優先と手動発電量設定優先判断のステップ１７００で、自動発電量設定優先を選択した場合は、自動発電量設定時間帯と手動発電量設定時間帯に重複があるかどうかを、自動発電量設定時間帯と手動発電量設定時間帯の重複有無判断のステップ１７１０に進んで判断する。
【０１３４】
前記ステップ１７１０で、自動発電量設定時間帯と手動発電量設定時間帯に重複有りと判断された場合は、自動発電量設定優先のスケジュール計算とし自動発電量設定時間帯以外は手動発電量設定を行うスケジュール計算機能のステップ１７１１に進んで、自動発電量設定優先のスケジュール計算を行う。
【０１３５】
前記ステップ１７１０で、自動発電量設定時間帯と手動発電量設定時間帯に重複無しと判断された場合は、自動発電量設定優先の停止スケジュール、起動スケジュール計算を実施するスケジュール計算機能のステップ１７１２に進んで、通常のスケジュール計算を行う。
【０１３６】
そして、前記ステップ１７１２での通常のスケジュール計算における計算結果に対し、停止完了時刻と起動完了時刻に逆転がないかを停止完了時刻と起動完了時刻の時刻妥当性判断のステップ１７１３で行う。
【０１３７】
前記ステップ１７１３の判断で、停止完了時刻が起動完了時刻よりも早いと判断された場合は問題無いため、前記ステップ１７１２のスケジュール計算結果使用のステップ１７１４に進んで上記１７１２のステップの計算結果を使用する。
【０１３８】
また、前記ステップ１７１３の判断で、停止完了時刻が起動開始時刻よりも遅いと判断された場合は、有り得ない逆転現象であることから、起動開始時刻が停止完了時刻よりも後ろへ移動させるスケジュール計算実施のステップ１７１５に進んで、このスケジュール計算を行う。
【０１３９】
前記した各ステップのそれぞれのスケジュール計算結果が問題無しと判断した場合は、本スケジュール計算結果を計算機に取り込み、その後のスケジュールに使用するために確定させるスケジュール計算確定ＰＢを押下してスケジュール計算確定ＰＢ  ＯＮのステップ１５０７に進む。これによって、スケジュール計算確定のステップ１７３０となる。
【０１４０】
一方、優先機能を自動発電量設定優先と手動発電量設定優先判断のステップ１７００で、手動発電量設定優先を選択した場合は、自動発電量設定時間帯と手動発電量設定時間帯に重複があるかどうかを自動発電量設定時間帯と手動発電量設定時間帯の重複有無判断のステップ１７２０に進んで判断する。
【０１４１】
以降のステップの流れは自動発電量設定優先時と同様であって、
前記ステップ１７２０で、自動発電量設定時間帯と手動発電量設定時間帯に重複有りと判断された場合は、自動発電量設定優先のスケジュール計算とし自動発電量設定時間帯以外は手動発電量設定を行うスケジュール計算機能のステップ１７２１に進んで、自動発電量設定優先のスケジュール計算を行う。
【０１４２】
前記ステップ１７２０で、自動発電量設定時間帯と手動発電量設定時間帯に重複無しと判断された場合は、自動発電量設定優先の停止スケジュール、起動スケジュール計算を実施するスケジュール計算機能のステップ１７２２に進んで、通常のスケジュール計算を行う。
【０１４３】
そして、前記ステップ１７２２での通常のスケジュール計算における計算結果に対し、停止完了時刻と起動完了時刻に逆転がないかを停止完了時刻と起動完了時刻の時刻妥当性判断のステップ１７２３で行う。
【０１４４】
前記ステップ１７２３の判断で、停止完了時刻が起動完了時刻よりも早いと判断された場合は問題無いため、前記ステップ１７２２のスケジュール計算結果使用のステップ１７２４に進んで上記１７２２のステップの計算結果を使用する。
【０１４５】
また、前記ステップ１７２３の判断で、停止完了時刻が起動開始時刻よりも遅いと判断された場合は、有り得ない逆転現象であることから、起動開始時刻が停止完了時刻よりも後ろへ移動させるスケジュール計算実施のステップ１７２５に進んで、このスケジュール計算を行う。
【０１４６】
前記した各ステップのそれぞれのスケジュール計算結果が問題無しと判断した場合は、本スケジュール計算結果を計算機に取り込み、その後のスケジュールに使用するために確定させるスケジュール計算確定ＰＢを押下してスケジュール計算確定ＰＢ  ＯＮのステップ１５０７に進む。これによって、スケジュール計算確定のステップ１７３０となってスケジュール計算を終了する。
【０１４７】
上記した構成の本実施例の火力発電プラント運転支援装置によれば、ガスタービンと蒸気タービンを有する発電設備の発電軸を複数軸備えた火力発電プラントにおいて、給電指令装置及び発電所単独の要求電力に対して、運転状況を考慮した送電電力の確保と、迅速な運転スケジュール計算を可能にして、運転スケジュールの精度を向上した火力発電プラントの運転支援装置が実現できる。
【符号の説明】
【０１４８】
１００：需要者、１０１：給電指令装置、１０２：要求電力量入力手段、１０３：自動発電量設定手段、１０４：手動発電量設定手段、１０５：スケジュール計算用情報設定手段、１０６：ケジュール計算手段、１０７：ケジュール計算確定手段、１０９：火力発電プラント運転支援装置、１１０：ＰＰＳ発電設備、ＳＣ１：第１軸スケジュール計算手段、ＳＣ２：第２軸スケジュール計算手段、ＳＣ３：第３軸スケジュール計算手段、ＣＴ１：第１軸制御装置、ＣＴ２：第２軸制御装置、ＣＴ３：第３軸制御装置、ＰＷ１：第１軸発電設備、ＰＷ２：第２軸発電設備、ＰＷ３：第３軸発電設備、ＰＰＳ１：第１軸ユニット発電設備、ＰＰＳ２：第２軸ユニット発電設備、ＰＰＳ３：第３軸ユニット発電設備、ＶＷ：給水流量調節弁、ＶＦ：燃料流量調節弁、ＶＡ：空気流量調節弁、１２：空気圧縮機ＣＯＭＰ、１３：燃焼器ＣＯＭＢ、１１：ガスタービンＧＴ、３１：排熱回収ボイラＢ、２１：蒸気タービンＳＴ、２３：発電機Ｇ、２２：復水器ＣＯＮＤ、３００：給電指令装置の要求電力量指令値（自動発電量設定）、３０１：発電所の要求電力量設定値（手動発電量設定）、３０２：軸スケジュール計算結果（自動発電量設定／手動発電量設定）、４００：給電指令装置の要求電力量指令値（自動発電量設定）、４０１：発電所の要求電力量設定値（手動発電量設定）、４０２：軸スケジュール計算結果（手動発電量設定／自動発電量設定）、５００：要求電力量（自動発電量設定→手動発電量設定）、５０１：停止側自動発電量設定に対する軸スケジュール計算結果、５０２：起動側手動発電量設定に対する軸スケジュール計算結果、５０３：停止側自動発電量設定を優先選択とした場合のスケジュール計算結果、６００：要求電力量（自動発電量設定→手動発電量設定）、６０１：自動発電量設定に対する軸スケジュール計算結果、６０２：手動発電量設定に対する軸スケジュール計算結果、６０３：起動側手動発電量設定を優先選択とした場合のスケジュール計算結果、７００：給電指令装置の要求電力量指令値（自動発電量設定）、７０１：発電所の要求電力設定値（手動発電量設定）、７０２：軸スケジュール計算（自動発電量設定／手動発電量設定）、８００：給電指令装置の要求電力量指令値（自動発電量設定）、８０１：発電所の要求電力設定値（手動発電量設定）、８０２：軸スケジュール計算（自動発電量設定／手動発電量設定）、９００：給電指令装置の要求電力量指令値（自動発電量設定）、９０１：発電所の要求電力量のスケジュール計算においてＳＴ起動モードとしてベリーホットモードを手動設定した場合のスケジュール計算結果、９０２：発電所の要求電力量のスケジュール計算においてＳＴ起動モードとしてホットモードを手動設定した場合のスケジュール計算結果、９０３：発電所の要求電力量のスケジュール計算においてＳＴ起動モードとしてウォームモードを手動設定した場合のスケジュール計算結果、１０００、１１００：蒸気タービンメタル温度、１２００：出力、１３００：給電指令装置の要求電力量指令値（自動発電量設定）、１３０１：給電指令装置の要求電力量に対するスケジュール計算結果、１３０２：停止時間幅に対し手動発電量を最大使用する様にする為のスケジュール計算結果、１３０３：停止時間幅を最大使用する時のスケジュール計算結果に対する手動発電量設定可能幅、１４００：発電所の要求電力量指令値（手動発電量設定）、１４０１：発電所の要求電力量に対するスケジュール計算結果、１４０２：停止時間幅に対し自動発電量を最大使用する様にする為のスケジュール計算結果、１４０３：停止時間幅を最大使用する時のスケジュール計算結果に対する自動発電量設定可能幅、１５００：自動発電量設定優先ＰＢ、１５０１：手動発電量設定優先ＰＢ、１５０２：スケジュール計算結果による起動モード設定ＰＢ、１５０３：運転員の設定による起動モード設定ＰＢ、１５０４：起動モードの低側許容幅設定値、１５０５：起動モードの高側許容幅設定値、１５０６：スケジュール計算実行ＰＢ、１５０７：スケジュール計算確定ＰＢ、１６００：発電量設定画面、１７００：自動発電量設定優先と手動発電量設定優先判断のステップ、１７１０：自動発電量設定時間帯と手動発電量設定時間帯の重複有無判断のステップ、１７１１：自動発電量設定優先のスケジュール計算とし自動発電量設定時間帯以外は手動発電量設定を行うスケジュール計算機能のステップ、１７１２：自動発電量設定を優先した停止スケジュール、起動スケジュール計算を実施するスケジュール計算機能のステップ、１７１３：停止完了時刻と起動完了時刻の時刻妥当性判断のステップ、１７１４：１７１２のスケジュール計算結果使用のステップ、１７１５：起動開始時刻が停止完了時刻よりも後ろへ移動させるスケジュール計算実施のステップ、１７２０：自動発電量設定時間帯と手動発電量設定時間帯の重複有無判断のステップ、１７２１：手動発電量設定優先のスケジュール計算とし手動発電量設定時間帯以外は自動発電量設定を行うスケジュール計算機能のステップ、１７２２：手動発電量設定を優先した停止スケジュール、起動スケジュール計算を実施する機能のステップ、１７２３：停止完了時刻と起動完了時刻の時刻妥当性判断のステップ、１７２４：１７２２のスケジュール計算結果を使用のステップ、１７２５：起動開始時刻が停止完了時刻よりも後ろへ移動させるスケジュール計算実施のステップ、１７３０：スケジュール計算確定のステップ。
【図１】
2016165173.tif 000003
【図２】
2016165173.tif 000004
【図３】
2016165173.tif 000005
【図４】
2016165173.tif 000006
【図５】
2016165173.tif 000007
【図６】
2016165173.tif 000008
【図７】
2016165173.tif 000009
【図８】
2016165173.tif 000010
【図９】
2016165173.tif 000011
【図１０】
2016165173.tif 000012
【図１１】
2016165173.tif 000013
【図１２】
2016165173.tif 000014
【図１３】
2016165173.tif 000015
【図１４】
2016165173.tif 000016
【図１５】
2016165173.tif 000017
【図１６】
2016165173.tif 000018
【図１７】
2016165173.tif 000019